(57)【要約】      （修正有）【課題】腰痛等で腰、或は膝が曲がらない人が介護者無しで、いつでも、どこでも、一人で衣服（ズボン、スカート、パンツ）の着脱が出来る様な構造がシンプルでコンパクトな衣服着脱器具を開発する。【解決手段】２本の支柱軸Ａ１と支柱軸Ｂ２の上端部の支柱接合部で、接合具３で接合され、分離、接合、回動自在になるように接合でき、更に、支柱軸Ａ１の側面下端部に衣服（ズボン）を履くための衣服履き用引っ掛け具４と該衣服履き用引っ掛け具の下端部に設けた衣服（パンツ）を脱ぐための下着脱ぎ用引き下げ具５（先端を細く、爪状下向き）を設置する。【選択図】図１
2008149122.tif 000002
【特許請求の範囲】
【請求項１】
衣服を着脱する者に握持される２本の支柱軸を備えた衣服着脱器具において、支柱軸の上端部に、支柱軸Ａと支柱軸Ｂを接合、分離、回動自在とすることが出来る接合具を設け、また一本の支柱軸Ａの軸下方向の下側に衣服を脱ぐ際に衣服と足の間に挿入して、衣服を脱ぐための衣服脱ぎ用押さえ具を備えた事を特徴とする衣服着脱器具。
【請求項２】
請求項１記載の衣服着脱器具において、衣服脱ぎ具の形状は先端を丸くした爪状とし、その方向は下向きとし、該衣服脱ぎ用押さえ具と本体の支柱軸Ａとの接合は一体形成、または取り付けとすることを特徴とする衣服着脱器具。
【請求項３】
請求項１記載の衣服着脱器具において、上端部に接合具を設けた、分離、接合、回動自在とする２本の支柱軸Ａと支柱軸Ｂの軸下方向の下側に、ズボン、スラックス、スカートの衣服のウエスト外側周りの数本のベルトループのうち衣服の前面側にある左右のベルトループに通して、衣服を持ち上げて履くための衣服履き用引っかけ具を備えたことを特徴とする衣服着脱器具。
【請求項４】
請求項３記載の衣服着脱器具において、ベルトループに通して、衣服を持ち上げて履くための衣服履き用引っ掛け具の下側に身体と下着の間に挿入して、下着を押し下げて脱ぐための下着脱ぎ用引き下げ具を一体形成、または、取り付けとすることを特徴とする衣服着脱器具。
【請求項５】
請求項３記載の衣服着脱器具において、引っかけ具の形状は先端部を丸くした爪状とし、その上下方向の向きは、上向きとすることを特徴とする衣服着脱器具。
【請求項６】
請求項４記載の衣服着脱器具において、身体と下着の間に挿入して下着を押し下げて脱ぐための下着脱ぎ用引き下げ具の形状は、先端部を細く爪状とし、其の上下方向は下向きとすることを特徴とする。
【請求項７】
請求項４、５、６記載の衣服着脱器具において本体の２本の支柱軸Ａと支柱軸Ｂの下側に設けた衣服脱ぎ用押さえ具、衣服履き用引っ掛け具、下着脱ぎ用引き下げ具と支柱軸との接合は、一体形成または、取り付けとすることを特徴とする衣服着脱器具。
【発明の詳細な説明】
【技術分野】
【０００１】この発明は、要介護高齢者、高齢者、腰痛者、あるいは病気で腰を、膝を曲げることができない人が一人で衣服（ズボン、スカート等）を着脱することが出来る衣服着脱器具。
【背景技術】
【０００２】従来からの衣服着脱器具の一例としては、衣服保持手段と、これを衣服に接触させる為の、アームと、このアームを衣服に近接させる駆動手段と、衣服を上げ下げするためのプーリー、ベルト、モーター等により構成される衣服上下手段と設けた構造が提案される。
【特許文献１】  特開平８−１０２９１
【発明が解決しようとする課題】
【０００３】  従来の技術は、形状的に大きいため、その機械を設置するスペースを確保することが困難であり、更に、その機械が故障、また、電気を利用しているため、停電により使用不可となる場合もあり、本来の目的を果たすことが出来ず、全ての人が使用することが出来ない。そこで、本発明は、以上の時術の欠点である、機械的な複雑さを簡素に、物理的な大きさをコンパクトに、更に、持ち運びが自由に出来、誰でも、どこでも、自由に使用できることを提供することを課題とする。
【課題を解決するための手段】
【０００４】本発明による衣服着脱器具は、上記目的達成の為、腰、膝を曲げることは出来ないが、一人でたつことが出来、あるいは、椅子に腰を掛けることが出来る人が、介護者なしで、衣服を着脱することを可能にする衣服着脱器具において、前記の衣服を脱ぐ手段と、衣服を履く為の衣服着脱手段を有することを特徴とするものである。
【０００５】また、請求項１は衣服を着脱するものに握持される２本の支柱軸を備えた衣服着脱器具において、支柱軸の上端部に、支柱軸Ａと支柱軸Ｂを接合、分離、回動自在とすることが出来る接合具を設け、又１本の支柱軸Ａの軸下方向の下側に衣服を脱ぐ際に衣服と足の間に挿入して、衣服を脱ぐための衣服脱ぎ用押さえ具を備えたことを特徴とする衣服着脱器具。
【０００６】また、請求項２は、請求項１記載の衣服着脱器具において、引っかけ具の形状は先端を丸くした爪状とし、その方向は下向きとし、該衣服脱ぎ用押さえ具と本体の支柱軸Ａとの接合は一体形成、または、取り付けとすることを特徴とする衣服着脱器具。
【０００７】また、請求項３は、請求項１記載の衣服着脱器具において、上端部に接合具を設けた、分離、接合、回動自在とする２本の支柱Ａと支柱軸Ｂの軸下方向の下側に、ズボン、スラックス、スカートの衣服のウエスト外側周りの数本のベルトループのうち衣服の前面側にある左右のベルトループに通して、衣服を持ち上げて履く為の衣服履き用引っかけ具を備えた事を特徴とする衣服着脱器具。
【０００８】また、請求項４は、請求項３記載の衣服着脱器具においてベルとループに通して、衣服を持ち上げて履くための衣服履き用引っ掛け具の下側に身体と下着の間に挿入して下着を押し下げて脱ぐための下着脱ぎ用引き下げ具を一体形成、または、取り付けとすること特徴とする衣服着脱衣具。
【０００９】また、請求項５は、請求項３記載の衣服着脱器具において、引っ掛け具の形状は先端を丸くした爪状とし、其の上下方向の向きは、上向きとすることを特徴とする衣服着脱器具。
【００１０】また、請求項６は、請求項４記載の衣服着脱器具において、身体と下着の間に挿入して下着を押し下げて脱ぐための下着脱ぎ用引き下げ具の形状は、先端部を細く爪状とし、その上下方向は下向きとすることを特徴とする。
【００１１】また、請求項７は、請求項４，５，６記載の衣服着脱器具において、本体の２本の支柱軸Ａと支柱軸Ｂの下端部に設けた衣服脱ぎ用押さえ具、衣服履き用引っ掛け具、下着脱ぎ用引き下げ具と支柱軸との接合は、一体形成または、取り付けとすることを特徴とする衣服着脱器具。
【発明の効果】
【００１０】誰の手も借りずに一人で、ズボン、スラックス、スカート、パンツの着脱が出来る。
介護者の負担を軽減出来る。場所を問わず何処でも、使用できる。
自分の都合に合わせ、いつでも自由にズボン、スラックス、スカートの着脱が出来るので、ストレスがない。
【発明を実施するための最良の形態】
【００１１】実施形態の一例を以下に述べる。２本の支柱軸本体である支柱軸Ａと支柱軸Ｂの下端部に設けた衣服脱ぎ用押さえ具、衣服履き用引っ掛け具、下着脱ぎ用引き下げ具の形状、取り付け位置は、適宜変更することが出来る。
図１は本発明である衣服着脱器具の支柱軸Ａ１と支柱軸Ｂ２を分離した状態の衣服着脱器具（ａ）の斜視図を示す。２本の衣服着脱器具の支柱軸Ａ１の軸下方向の表面下端部にズボン、スラックス、スカートの衣服８と足９の間に挿入して、衣服８を脱ぐ為の衣服脱ぎ用押さえ具６（下向き  爪状）を備え、更に、２本の支柱軸Ａ１と支柱軸Ｂ２の上端部に設けた接合具３（支柱軸Ｂ２の上端部を表裏面貫通した軸とその軸を受け入れる支柱軸Ａ１の上端部に設けた軸受け孔）で回動自在になるように接合、又、必要に応じて分離することが出来、更に、２本の支柱軸Ａ１と支柱軸Ｂ２の内側面にズボン、スカートを履くための衣服履き用引っ掛け具４（上向き  爪状）と、該衣服履き用引っ掛け具の下端部にパンツを脱ぐための下着脱ぎ用引き下げ具５（先端を細く爪状  下向き）を一体形成、または取り付けとする。また、（ｂ）は２本の衣服着脱器具の支柱軸Ａ１と支柱軸Ｂ２を接合した状態の斜視図を示す。
尚、図１の（ｂ）において、接合して、開いた状態の時に相対向する側面を内側面とする。
２本の衣服着脱器具の支柱軸Ａ１と支柱軸Ｂ２の上端部に設けた接合具３を介し、必要に応じて、分離、接合、回動自在とすることが出来る。又、２本の支柱の形態は、前記図１に示したものと同一とする。
【実施例】  続いて本発明である実施例について図面とともに説明する。【００１２】図２は衣服着脱器具の支柱軸Ａ１と支柱軸Ｂ２を接合した状態で衣服（ズボン、スカート）８を脱ぐ時の形態を示す。
衣服（ズボン、スカート）８を脱ぐための衣服着脱器具の支柱軸Ａ１の側面下端部に設けた衣服脱ぎ用押さえ具６を衣服（ズボン）のバンドを外し、自然落下したズボン８と足９の間に挿入し、踵１１を浮かせ、衣服（ズボン）８から足９を外すことにより、腰、膝を曲げることなく、簡単に衣服（ズボン）８を脱ぐことが出来る。
尚、衣服着脱器具を分離し、衣服着脱器具の支柱軸Ａのみを使用してもよい。【００１３】図３は衣服着脱器具の支柱軸Ａ１と支柱軸Ｂ２を接合した状態で靴下１０を脱ぐ時の形態を示す。衣服着脱器具の支柱軸Ａ１の側面下端部に設けた衣服脱ぎ用押さえ具６を靴下１０と、足９の間に挿入し、そのまま衣服脱ぎ用押さえ具６を床まで下ろし、更に、そのままの状態で踵１１を浮かすことにより、腰、膝を曲げることなく容易に靴下１０を脱ぐことが出来る。
なお、衣服着脱器具の支柱軸Ａと支柱軸Ｂを分離し、衣服着脱器具の支柱軸Ａ１のみを使用してもよい。【００１４】図４は衣服（ズボン、スカート）８を履く時の形態を示す。
（ａ）は２本の衣服着脱器具の支柱軸Ａ１と支柱軸Ｂ２をそれぞれ両手に持ち、２本の支柱軸Ａ１と支柱軸Ｂ２の内側面の下端部に設けた衣服（ズボン、スカート）８を履く為の衣服履き用引っ掛け具４（上向き、爪状）をベルトループ７に通し、これをそのまま足元まで運び、片足ずつズボンに足を挿入して２本の衣服着脱器具の支柱軸Ａ１と支柱軸Ｂ２を上方向に引き上げながら通常通りズボン８を履くのであるが、ズボン８を履く途中でズボン８のウエスト後部が臀部に引っ掛かるので、その際には衣服着脱器具の支柱軸Ａ１と支柱軸Ｂ２の上端部に設けた接合具３で２本の支柱軸Ａ１と支柱軸Ｂ２を接合し、どちらか片方の手で接合された２本の支柱軸Ａ１か支柱軸Ｂ２のどちらかを握持し、もう一方の手で臀部をズボン８の中に収め、更に、ジッパー１２をズボン８が落下しない程度に引き上げ、ズボン８の固定を確認し、２本支柱軸Ａ１と支柱軸Ｂ２の内側面の下端部に設けた衣服履き用引っ掛け具４を衣服（ズボン）８のベルトループ７から、下方向に引き抜くことにより、腰、膝を曲げることなく、容易にズボン８を履くことができる。尚、２本の衣服着脱器具の支柱Ａ１と支柱Ｂ２の上端部に設けた接合具３で接合した状態で使用しても良い。【００１５】図５はパンツ１３を脱ぐ時の形態を示す。
分離した２本の衣服着脱器具の支柱軸Ａ１と支柱軸Ｂ２をそれぞれ両手に持ち、２本の支柱軸Ａ１と支柱軸Ｂ２の内側面に設けた衣服履き用引っ掛け具４の下端部に設けた下着脱ぎ用引っ掛け具５（先端を細く  爪状    下向き）を身体１５とパンツ１３の間に挿入し、２本の支柱軸Ａ１と支柱軸Ｂ２を同時に下方向に下ろす事により、腰、膝を曲げることなく、容易にパンツ１３を脱ぐことができる。【００１６】図６はパンツ１３を履く時の形態を示す。
パンツ１３の前面、ウエスト前面部分１４に、ベルトループのようなリング（輪）１６を設け、これに、２本の支柱軸Ａ１と支柱軸Ｂ２の内側面下端部に設けた衣服（ズボン、スカート）８を履くための引っ掛け具４（爪状、上向き）を通し、ズボン８を履く要領で、腰、膝を曲げることなく、容易にパンツ１３を履くことが出来る。
【図面の簡単な説明】
【００１７】
【図１】  衣服着脱器具付き支柱の斜視図  （ａ）  （ｂ）
【図２】  ズボンを脱ぐ時の形態
【図３】  靴下を脱ぐ時の形態  （ａ）  （ｂ）
【図４】  ズボンを履く時の形態  （ａ）  （ｂ）
【図５】  パンツを脱ぐ時の形態
【図６】  パンツを履く時の形態  （ａ）  （ｂ）
【符号の説明】
【００１８】１．  本体支柱軸    Ａ
２．  本体支柱軸    Ｂ
３．  接合具
４．  衣服（ズボン、スカート、）履き用引っ掛け具    （爪状  上向き）
５．  下着（パンツ）脱ぎ用引き下げ具    （爪状  下向き）
６．  衣服（ズボン、スカート）脱ぎ用押さえ具    （爪状  下向き）
７．  ベルトループ
８．  ズボン
９．  足
１０．靴下
１１．踵
１２．ジッパー
１３．パンツ
１４．パンツのウエスト前面部
１５．身体
１６．リング（輪）
【図１】
2008149122.tif 000003
【図２】
2008149122.tif 000004
【図３】
2008149122.tif 000005
【図４】
2008149122.tif 000006
【図５】
2008149122.tif 000007
【図６】
2008149122.tif 000008